(57)【特許請求の範囲】
【請求項１】
スクリーンが開口側から収納され、前記スクリーンが収納される場合に視聴者側から開口側に向けて前記スクリーンの周囲に立設するリブと、前記リブに設ける凹部及び貫通孔の中少なくとも一つと、を備える枠体と、
前記スクリーンが前記枠体に収納される場合に前記枠体に開口側から視聴者側に向けて挿入され、開口側から視聴者側に向けて突出し前記スクリーンを押さえるスクリーン押圧部と、開口側から視聴者側に向けて突出し前記スクリーン押圧部とともに前記リブを挟持して前記リブの前記凹部及び貫通孔の中少なくとも一つに嵌着する弾性変形自在の鈎形係止片と、を備えるスクリーン押さえ部材と、
を有するスクリーン取り付け装置。
【請求項２】
前記スクリーンの４辺に対応して４つのスクリーン押さえ部材を枠体の内面側で嵌着させたことを特徴とする請求項１記載のスクリーン取り付け装置。
【請求項３】
投射光がスクリーン側に反射するのを防止する凹凸面をスクリーン押さえ部材の投射光が照射される領域に配設したことを特徴とする請求項１乃至２のいずれかに記載のスクリーン取り付け装置。
【発明の詳細な説明】
【０００１】
【発明の属する技術分野】
本発明は、投射型テレビジョン受信機を構成するスクリーンを枠体に取り付けるスクリーン取り付け装置に関する。
【０００２】
【従来の技術】
従来、投影された映像を結像させるスクリーンの取り付け方法として、例えば、図５に示す特開平７−５６２３４号公報等が提案されている。図５の構成は、フレネルレンズシートとレンチキュラーレンズシートおよび前面パネルから構成されるスクリーン１０１を枠体１０２に金具１０３とビス１０４等で締結固定するものである。
【０００３】
【発明が解決しようとする課題】
しかし、前記従来の構成では、枠体１０２の内面側に金具１０３と締結ビス１０４を用いて取り付けるため、スクリーンの取り付け工数が大きいという課題を有していた。
また、ビス１０４締結部分が歪みを生じて前面パネルを歪ませ、その結果、前面パネルに映った反射像に歪みを生じ品格を低下させる恐れがあった。
さらに、金具に照射される投射光の領域が広い場合、前記金具から反射された反射光がスクリーンに入射しコントラスト等の画質低下を招いていた。金具から反射された反射光がスクリーンに入射するのを防ぐ手段として、例えば、金具の表面に不織布等を貼り付けていた。
【０００４】
【課題を解決するための手段】
上記問題点を解決するために本発明のスクリーン取り付け装置は、枠体の内面側に立設したリブに鈎部、凹部、貫通孔の内のいずれか一つを設け、前記鈎部、凹部、貫通孔の内のいずれか一つに，スクリーン押さえ部材の一部に設けた鈎形係止片が弾性変形して嵌着する構成とした。この構成により、前記スクリーンを前記枠体内面側にビスレスで取り付けでき、スクリーンの取り付け時間を低減できる。また、取り付けたスクリーンに歪みを与えず品格の低下がない。
【０００５】
また本発明は、スクリーン押さえ部材において、投射光が照射される領域に、投射光がスクリーン側に反射するのを防止する凹凸面を配設する構成とし、これによりスクリーンに入射する不要光をなくし、画質低下を防ぐことができる。
【０００６】
【発明の実施の形態】
以下、本発明の一実施例におけるスクリーン取り付け装置について、図１〜図４を用いて説明する。
【０００７】
（実施例）
図１は本発明の一実施例におけるスクリーン取り付け装置の分解斜視図、図２は図１のスクリーン取り付け装置を組み立てる過程を示す要部断面図である。図１、図２において、符号１はスクリーン、２は枠体、３はスクリーン押さえ部材、２ａは枠体の内面側に立設したリブ、２ｂはリブの途中に穿孔した貫通孔、３ａはスクリーン押さえ部材の一部に片持ち梁状に延出した鈎形係止片、３ｂはスクリーン押さえ部材の端面である。
【０００８】
枠体２は断面形状が略コの字状をなし、開口と対向する主面（視聴者側）に矩形状の貫通窓を形成してなる。天面、底面、両側面の近傍において、前記主面から内面側（開口側）に向かってそれぞれリブ２ａを配設してなる。
前記リブ２ａの途中には貫通孔２ｂが穿孔されている。貫通孔２ｂには後述の鈎形係止片３ａが嵌着する。なお、前記貫通孔２ｂに代え鈎形係止片３ａが嵌着する凹部、または鈎形係止片３ａが係止する鈎部を配設するようにしてもよい。（いずれも図示せず。）枠体２は樹脂部材、マグネシウム合金などを射出成形して主面に矩形状の貫通窓を備えた概略有底容器状に形成される。
【０００９】
スクリーン押さえ部材３は略Ｚ字形の断面形状をなし、一部に、片持ち梁状に延出した鈎形係止片３ａを配設してなる。前記スクリーン押さえ部材３は樹脂部材を射出成形して構成され、前記鈎形係止片３ａは弾性変形可能である。
【００１０】
スクリーン取り付け装置の組み立て過程を図２（ａ）、（ｂ）、（ｃ）を参照しながら説明する。まず、枠体２の開口側より枠体２内にスクリ−ン１を装填する。次に、前記開口側よりスクリーン押さえ部材３を枠体２の内面側に立設したリブ２ｂを挟持するごとく装着する。装着手順は図２（ａ）、（ｂ）、（ｃ）の順である。
前記鈎形係止片３ａを前記貫通孔２ｂに嵌着させることにより、端面３ｂでスクリ−ン１の周縁部を押圧、固定できる。
【００１１】
なお、図１に示す実施例ではスクリーン１の４辺に対応して４つのスクリーン押さえ部材をそれぞれ枠体２の内面側で嵌着させる構成とした。勿論、スクリーン押さえ部材を４分割することに代え、一体型の矩形枠状に構成してよいことは言うまでもない。（図示せず。）
上記構成により、スクリ−ン１にX＋方向に外力が作用してもスクリ−ン部材３に設けた鈎形係止片３ａが嵌合しているためスクリーン押さえ部材３が枠体２から外れない。
また、スクリ−ン部材３の鈎形係止片３ａにＹ−方向の外力を作用させると共に、X＋方向に引っ張ることでスクリーン押さえ部材３を枠体２から取り外せる。
【００１２】
次に、本発明におけるもう一つのスクリーン押さえ部材について説明する。図３はレンズ４光学系から出射された映像光の投射軌跡とスクリ−ンとの関係を示す要部断面図、図４は本発明におけるもう一つのスクリーン押さえ部材の要部拡大断面図を示す。
図３、図４において符号３，３０はスクリーン押さえ部材、４はレンズ、５はスクリ−ンイメ−ジサイズの投射光（スクリ−ンへの入射光）、５ａはオ−バ−スキャン状態の投射光、６は投射光が部材等の表面で反射した反射光、７は凹凸面を示す。
【００１３】
本発明におけるもう一つのスクリーン押さえ部材３０は、投射光がスクリーン１側に反射するのを防止する凹凸面７を投射光が照射される領域に配設したことを特徴とする
図３、図４に示すように、レンズから出射された光（スクリ−ンイメ−ジサイズの投射光５およびオ−バ−スキャン状態の投射光５ａ）がスクリ−ン１に入射する場合、スクリ−ンイメ−ジサイズの投射光５はスクリ−ン１に届くまでの間には遮蔽物がないため直接スクリ−ン１に入射する。
【００１４】
しかし、一方、オ−バ−スキャン状態の投射光５ａはスクリーン押さえ部材３０の表面に届き、表面で反射された投射光５ａがスクリ−ン１に再入射するためコントラスト等の性能を劣化させる原因となる。
そこで図４に示すように、スクリーン押さえ部材３０の投射光５ａが照射される領域に鋸歯状の凹凸面７を配設する構成とした。これにより、オ−バ−スキャン状態の投射光５ａはスクリ−ン１側に反射せず、不要光としてコントラスト等の性能を劣化させることがない。
【００１５】
【発明の効果】
以上のように本発明によれば、ビスレスで枠体にスクリーンを取り付けでき、取り付け工数を大幅に削減できる。また、取り付けた後のスクリ−ン歪みを低減でき、スクリーンに映り込む反射像の歪みも低減できる。
さらに、スクリーン押さえ部材に設けた凹凸面によりオ−バ−スキャンの入射光がスクリーンに達するのを防止でき、コントラスト低下を抑制できる。
【図面の簡単な説明】
【図１】本発明の一実施例におけるスクリーン取り付け装置の分解斜視図
【図２】図１のスクリーン取り付け装置を組み立てる過程を示す要部断面図
【図３】投射光の投射軌跡とスクリ−ンとの関係を示す要部断面図
【図４】本発明におけるもう一つのスクリーン押さえ部材の要部拡大断面図
【図５】従来のスクリ−ン固定装置の断面図
【符号の説明】
１  スクリ−ン
２    枠体
２ａ  リブ
２ｂ     貫通孔
３、３０  スクリ−ン押さえ部材
３ａ  鈎形係止片
３ｂ  端面
４  レンズ
５    スクリ−ンイメ−ジサイズに対応する入射光
５ａ  オ−バ−スキャンに対応する入射光
６     反射光
７  凹凸面
【図１】
0004524853.tif 000002
【図２】
0004524853.tif 000003
【図３】
0004524853.tif 000004
【図４】
0004524853.tif 000005
【図５】
0004524853.tif 000006